(57)【要約】【課題】車両内で保安帽を破損等の怖れなく安定して保管でき、しかも保安帽の出し入れをスムースに行うことができる保安帽収納袋を提供する。【解決手段】保安帽収納袋２は、座部及び背部を備えた車両のシートに取り付けられるものであって、保安帽を収納する袋部３と、袋部３をシートの背部に結着する結着具４とを含む。袋部３は、結着具４によってシートに取り付けられた状態において、上方に開口した姿勢を取り、保安帽の出し入れが可能となる。袋部３は、前記背部に沿う平板状の部分からなり、保安帽の出し入れの際に当該保安帽をガイドする基板部３１と、保安帽の出し入れを可能とする開口形状に開口部３Ｈを維持する保形性を付与する開口板３２と、開口板３２の下方に配置され、袋部３に収納された保安帽の下方部分を支持する底袋部３３と、を備える。【選択図】図２
2019065428.tif 000002
【特許請求の範囲】
【請求項１】
座部及び背部を備えた車両のシートに取り付けられる保安帽収納袋であって、
保安帽を収納する袋部と、この袋部を前記シートの背部に結着する結着具とを含み、
前記袋部は、
前記結着具によって前記シートに取り付けられた状態において、上方に開口した姿勢を取り、前記保安帽の出し入れが可能となるものであって、
前記背部に沿う平板状の部分からなり、前記保安帽の出し入れの際に当該保安帽をガイドする基板部と、
前記上方に開口する部分に、前記保安帽の出し入れを可能とする開口形状を維持する保形性を付与する開口板と、
前記開口板の下方に配置され、前記袋部に収納された前記保安帽の下方部分を支持する底袋部と、
を備えることを特徴とする保安帽収納袋。
【請求項２】
請求項１に記載の保安帽収納袋において、
前記基板部は、前記袋部が前記シートに取り付けられた状態において上下方向に延在する一対の側辺を備え、
前記開口板は、前記基板部の上端付近において、前記一対の側辺から当該基板部に対して膨出するように延び出すＵ字型の形状を有し、前記基板部の上端部分とトンネル型の開口を形成するものであり、
前記底袋部は、前記基板部の少なくとも下方部分において、前記一対の側辺から当該基板部に対して膨出し、前記トンネル型の開口の部分の下方を実質的に塞ぐものである、保安帽収納袋。
【請求項３】
請求項２に記載の保安帽収納袋において、
前記開口板は、前記基板部に対して先下がりに傾斜した状態で、前記基板部から膨出している、保安帽収納袋。
【請求項４】
請求項１〜３のいずれか１項に記載の保安帽収納袋において、
前記開口板は、前記袋部に収納された前記保安帽に対して軽押圧する形状を有する、保安帽収納袋。
【請求項５】
請求項１〜４のいずれか１項に記載の保安帽収納袋において、
前記底袋部の下端に設けられ、前記保安帽を通過させることのない小開口をさらに備える、保安帽収納袋。
【請求項６】
請求項１〜５のいずれか１項に記載の保安帽収納袋において、
前記底袋部が吸水性を備える素材から形成されている、保安帽収納袋。
【請求項７】
請求項２又は３に記載の保安帽収納袋において、
前記基板部は、前記一対の側辺間の間隔が上端部分よりも下端部分の方が狭くなるようなテーパ形状を有している、保安帽収納袋。
【請求項８】
請求項１〜７のいずれか１項に記載の保安帽収納袋において、
前記結着具は、前記シートの背部を用いて締結部を形成することが可能なベルトを備える、保安帽収納袋。
【発明の詳細な説明】
【技術分野】
【０００１】
本発明は、自動車等の車両のシートに取り付けられ、保安帽を収納する保安帽収納袋に関する。
【背景技術】
【０００２】
例えば電気事業者の技術サービス員等は、業務用車両で様々な現場に向かい、各現場では保安帽を被って各種の作業を遂行する。保安帽は、例えば特許文献１に示されているように、帽子本体部分（ヘルメット）と、この本体部分の前面に取り付けられる透明な防災面（シールド）とを備える。昨今は、防災面が帽子本体部分に内蔵され、透明な鍔部が装備された新型の保安帽も使用されている。一般に、業務用車両での移動時に、技術サービス員は保安帽を脱ぎ、これを車両内の適所に積載している。
【先行技術文献】
【特許文献】
【０００３】
【特許文献１】特開平０７−２１６６２２号公報
【発明の概要】
【発明が解決しようとする課題】
【０００４】
通常、業務用車両には、種々の工具類や計測器などが多数積載されている。また、一般に保安帽のための専用の積載位置は定められていない。このため、保安帽は、工具類の隙間や工具収納箱の上などに積載されることが多々ある。この場合、車両運転時の振動によって保安帽が揺れ動いたり転がったりすることから、工具類と衝突して保安帽にキズが入る、或いは破損することがあった。とりわけ、防災面は強度的に弱いので、破損が多く発生する。また、新型の保安帽では、合成樹脂製の透明鍔部も強度的な弱点部となり、破損の可能性が高い部分となる。
【０００５】
上記の破損を抑止するために、保安帽を市販されているファスナー付きのヘルメットバッグに収容させることも考えられる。しかし、当該バッグへの保安帽の出し入れに手間を要することから、その使用が敬遠されることが想定される。また、保安帽をバッグに収容しただけで、その積載態様が従前と同じく工具類の隙間等であれば、防災面の破損の可能性をさほど低減することにはならない。
【０００６】
本発明は上記の点に鑑みて為されたものであって、車両内で保安帽を破損等の怖れなく安定して保管でき、しかも保安帽の出し入れをスムースに行うことができる保安帽収納袋を提供することを目的とする。
【課題を解決するための手段】
【０００７】
本発明の一局面に係る保安帽収納袋は、座部及び背部を備えた車両のシートに取り付けられる保安帽収納袋であって、保安帽を収納する袋部と、この袋部を前記シートの背部に結着する結着具とを含み、前記袋部は、前記結着具によって前記シートに取り付けられた状態において、上方に開口した姿勢を取り、前記保安帽の出し入れが可能となるものであって、前記背部に沿う平板状の部分からなり、前記保安帽の出し入れの際に当該保安帽をガイドする基板部と、前記上方に開口する部分に、前記保安帽の出し入れを可能とする開口形状を維持する保形性を付与する開口板と、前記開口板の下方に配置され、前記袋部に収納された前記保安帽の下方部分を支持する底袋部と、を備えることを特徴とする。
【０００８】
この保安帽収納袋によれば、袋部の基板部がシートの背部にフィットする態様で、当該保安帽収納袋が結着具によってシートに取り付けられる。このような保安帽収納袋に保安帽を収納させるようにすることで、車両での移動中における保安帽の独立した積載箇所が確保され、且つ、車両内の他の部材と保安帽との衝突が生じないようにすることができる。従って、保安帽の破損を防止することができる。そして、前記取り付け状態において、開口板にて付与される保形性によって、上方の開口部分はその開口形状が維持される。このため、使用者は、前記開口部分の開閉操作を行うことなく、保安帽を袋部に対して出し入れすることができる。また、前記出し入れの際には平板状の前記基板部がガイドの役目を果たす。従って、使用者はストレスなく確実且つスムースに保安帽の出し入れを行うことができる。さらに、前記袋部に収納された保安帽は底袋部によって支持されるので、保安帽を安定的に保管した状態を形成することができ、防災面や鍔部の破損を防止することができる。
【０００９】
上記の保安帽収納袋において、前記基板部は、前記袋部が前記シートに取り付けられた状態において上下方向に延在する一対の側辺を備え、前記開口板は、前記基板部の上端付近において、前記一対の側辺から当該基板部に対して膨出するように延び出すＵ字型の形状を有し、前記基板部の上端部分とトンネル型の開口を形成するものであり、前記底袋部は、前記基板部の少なくとも下方部分において、前記一対の側辺から当該基板部に対して膨出し、前記トンネル型の開口の部分の下方を実質的に塞ぐ態様とすることができる。
【００１０】
一般に、保安帽の帽子本体部分は半球状の形状を有している。上記の保安帽収納袋によれば、帽子本体部分の湾曲した頂部を前記開口板のＵ字型の谷形状に沿わせると共に、帽子本体部分の下縁部を前記基板部に沿わせる態様で、保安帽の前記袋部への出し入れを行わせることができる。また、保安帽が前記袋部に収容された状態では、当該保安帽の下方部分を前記底袋部で支持し、上方部分を前記開口板で支持するという保管態様を実現することができる。従って、一層保安帽の出し入れをスムースとし、また保安帽の保管状態の安定性を向上させることができる。
【００１１】
上記の保安帽収納袋において、前記開口板は、前記基板部に対して先下がりに傾斜した状態で、前記基板部から膨出していることが望ましい。
【００１２】
この保安帽収納袋によれば、前記開口板が先下がりに傾斜している分だけ、斜め方向から保安帽の出し入れを行うことが可能となる。このため、前記開口板が基板部に対して水平に膨出している場合に比較して、保安帽の出し入れを一層容易にすることができる。
【００１３】
上記の保安帽収納袋において、前記開口板は、前記袋部に収納された前記保安帽に対して軽押圧する形状を有することが望ましい。
【００１４】
この保安帽収納袋によれば、前記袋部に収納された保安帽を、前記開口板で軽く押さえ付けた状態とすることができる。従って、保安帽が前記袋部内で揺動せず、安定的に収納された状態とすることができる。
【００１５】
上記の保安帽収納袋において、前記底袋部の下端に設けられ、前記保安帽を通過させることのない小開口をさらに備えることが望ましい。
【００１６】
この保安帽収納袋によれば、前記小開口を通して、前記袋部内からゴミや異物を逃がすことができる。従って、前記袋部内を清浄に保つことができ、また異物等との接触によって防災面が損傷といった不具合を未然に防止することができる。
【００１７】
上記の保安帽収納袋において、前記底袋部が吸水性を備える素材から形成されていることが望ましい。
【００１８】
この保安帽収納袋によれば、保安帽が水濡れしている状態で袋部内に収納された場合に、前記底袋部によって水分を吸収させることができ、車両内に水滴が滴下しないようにすることができる。
【００１９】
上記の保安帽収納袋において、前記基板部は、前記一対の側辺間の間隔が上端部分よりも下端部分の方が狭くなるようなテーパ形状を有していることが望ましい。
【００２０】
この保安帽収納袋によれば、鍔部を下方にして保安帽が前記袋部へ収納されること想定した場合に、前記基板部が半球状の保安帽の形状に沿う形状となる。従って、前記袋部へ収納された保安帽が遊動し難くなり、また当該保安帽の取り出しも一層スムースにすることができる。
【００２１】
上記の保安帽収納袋において、前記結着具は、前記シートの背部を用いて締結部を形成することが可能なベルトを備えることが望ましい。
【００２２】
この保安帽収納袋によれば、前記ベルトを用いて、前記シートの背部の座部に向く側、或いはその背面側に前記袋部を結着することが可能となる。従って、前記袋部の据え付け箇所の自由度を高めることができる。
【発明の効果】
【００２３】
本発明によれば、車両内で保安帽を破損等の怖れなく安定して保管でき、しかも保安帽の出し入れをスムースに行うことができる保安帽収納袋を提供することができる。
【図面の簡単な説明】
【００２４】
【図１】図１（Ａ）は、保安帽の一例を示す斜視図、図１（Ｂ）は、防災面内蔵型の保安帽の一例を示す斜視図である。
【図２】図２は、本発明の実施形態に係る保安帽収納袋の正面図である。
【図３】図３は、前記保安帽収納袋の側面図である。
【図４】図４は、前記保安帽収納袋の斜視図である。
【図５】図５は、図４とは視線方向を変えた前記保安帽収納袋の斜視図である。
【図６】図６は、前記保安帽収納袋の上面図である。
【図７】図７（Ａ）、（Ｂ）は、前記保安帽収納袋に保安帽が収納される様子を示す図である。
【図８】図８は、前記保安帽収納袋への保安帽の収納状態を示す上面図である。
【図９】図９は、車両のシートの背部の前面側に、前記保安帽収納袋が取り付けられている様子を示す斜視図である。
【図１０】図１０は、車両のシートの背部の背面側に、前記保安帽収納袋が取り付けられている様子を示す斜視図である。
【発明を実施するための形態】
【００２５】
以下、図面に基づいて、本発明の実施形態に係る保安帽収納袋を詳細に説明する。先ずは、図１を参照して、前記保安帽収納袋に収納されるが適用される保安帽について説明する。ここでの保安帽は、例えば電気事業者の技術サービス員等の使用者が、業務用車両等で移動しながら、様々な現場に出向いて業務を遂行する際に、安全確保のために自身の頭部に装着する保安帽を想定している。
【００２６】
図１（Ａ）は、一般的な防災面付きの保安帽１Ａを示す斜視図である。保安帽１Ａは、帽子本体部分１１、防災面１２及び上部カバー１３を含む。帽子本体部分１１は、保安帽１Ａが使用者に装着された状態において、当該使用者の頭頂部を覆う半球状の部分であり、剛性の高い樹脂などで形成された部材からなる。防災面１２は、視認性を確保しつつ使用者の顔面を保護するための、例えばポリカーボネートで形成された透明で半円筒状に湾曲した板状部材である。
【００２７】
上部カバー１３は、例えば合成樹脂などにより形成され、防災面１２の上端面を保持する半環状の部材である。上部カバー１３における半環状の両端部には、当該上部カバー１３を帽子本体部分１１の底面１１Ｂ付近に回動自在に連結する回動連結部１３１が備えられている。すなわち、保安帽１Ａは、上部カバー１３で保持された防災面１２が、帽子本体部分１１の外表面に沿って、その底面１１Ｂから頂面１１Ｔの方向へ回動可能なように帽子本体部分１１に外付けされた保安帽である。
【００２８】
図１（Ｂ）は、防災面内蔵型の保安帽１Ｂの一例を示す斜視図である。保安帽１Ｂは、帽子本体部分１４、防災面１５及び透明鍔部１６を含む。帽子本体部分１４は頭頂部を覆う半球状の部分であり、防災面１５は視認性を確保しつつ使用者の顔面を保護する部材である。上記の保安帽１Ａと相違する点は、防災面１５が帽子本体部分１４の内側に収容される点である。透明鍔部１６は、例えばポリカーボネートで形成された透明な部材であり、使用者の斜め上方の視認性を確保するべく、帽子本体部分１４の前方に取り付けられている。
【００２９】
上述の保安帽１Ａ、１Ｂは、使用者が現場に向かう際には業務用車両の適所に積載され、現場において当該作業者の頭部に装着される。その現場での業務を終えると、作業者は保安帽１Ａ、１Ｂを外し、これを業務用車両の適所に積載し、次の現場へ移動する、という作業ルーチンが繰り返される。
【００３０】
このような作業ルーチンにおいて、保安帽１Ａ、１Ｂに破損が生じることがある。破損が生じ易いのは、保安帽１Ａ、１Ｂの車載中に車両にブレーキングや悪路走行により大きな振動が発生したり、或いはコーナリング等によって大きな揺動が発生したりする際である。前記振動や揺動が発生すると、保安帽１Ａ、１Ｂも揺動乃至は転動するので、これにより車両内の物品工具類との衝突が発生する。衝突時の衝撃が大きいと、保安帽１Ａ、１Ｂを破損させることがある。また、作業者が保安帽１Ａ、１Ｂの着脱を行う際にも破損が生じがちである。例えば、保安帽１Ａ、１Ｂの車載姿勢が不安定な場合等には、装着のための掴み出しの際に作業者が保安帽１Ａ、１Ｂを落下させてしまい、取り外し後の車載の際に載置箇所が適当でない場合等には同様に落下させてしまうことがある。このような落下の際の衝撃によっても、保安帽１Ａ、１Ｂを破損し得る。
【００３１】
破損箇所として多いのは、衝撃への耐性が想定されている帽子本体部分１１、１４以外の部分である。保安帽１Ａの場合は、比較的耐性が脆い防災面１２や上部カバー１３に破損が生じ易い。また、防災面内蔵型保安帽１Ｂの場合は、防災面１５の他、透明鍔部１６も破損が生じ易い。防災面１２を外付けしている保安帽１Ａでは、防災面１２や上部カバー１３が破損した場合、これを交換することが可能であるが、防災面内蔵型保安帽１Ｂでは交換は容易ではない。このため、防災面１５や透明鍔部１６に破損が生じると、使用者は新たな保安帽１Ｂを取得するために、わざわざ現場からサービスセンター等に戻るという工数が発生することすらある。
【００３２】
以上のような現状より、車両での移動中における保安帽１Ａ、１Ｂの独立且つ安定した積載箇所を確保すること、その積載位置からの保安帽１Ａ、１Ｂの取り出し及び積載位置への戻し置きが容易であること、並びに、振動や揺動が不可避的に生じる車両の走行時に当該車両内の他の部材と保安帽１Ａ、１Ｂとの衝突が生じないこと、などが、保安帽１Ａ、１Ｂの車両内における保管態様として望まれるところである。本発明に係る保安帽収納袋は、このような要請に立脚して案出されたものである。以下、本発明の保安帽収納袋の一つの具体例について説明する。
【００３３】
図２は、本発明の実施形態に係る保安帽収納袋２の正面図、図３は、保安帽収納袋２の側面図である。これらの図には、上下、左右、前後の方向表示を付している。この方向表示は説明の便宜のためであり、保安帽収納袋２の態様を何ら限定的にするものではない。但し、保安帽収納袋２の車両のシートへの装着態様において、上下方向が反転することはない。また、図４及び図５は、保安帽収納袋２の斜視図、図６は、保安帽収納袋２の上面図である。図４〜図６においては、保安帽収納袋２が取り付けられる車両のシート５が仮想線で描かれている。
【００３４】
保安帽収納袋２は、座部及び背部を備えた車両のシート５に取り付けられるものであって、上述の保安帽１Ａ、１Ｂを収納する袋部３と、この袋部３をシート５の背部に結着する結着具４とを備えている。後記で詳述するが、袋部３は、結着具４によってシート５の背部に取り付けられた状態において、上方に開口した姿勢を取り、保安帽１Ａ、１Ｂの速やかな出し入れが可能となるものである。
【００３５】
袋部３は、基板部３１、開口板３２及び底袋部３３を備えている。基板部３１は、シート５の背部の前面側（座部と座席面を形成する側）若しくはその背面側に沿うよう、平板状の形状を有する部分である。この基板部３１から開口板３２及び底袋部３３が前方に膨出することで、上方に向けて開口する開口部３Ｈを備えた袋体を形成している。開口板３２は、前記上方に開口する部分に配置され、開口部３Ｈの開口形状を維持する保形性を付与する役目を果たす。底袋部３３は、開口板３２の下方に配置され、袋部３の底部（下部）を形成する部分である。
【００３６】
基板部３１は、正面視で大略的に矩形の平板であり、袋部３がシート５の背部に取り付けられた状態において上下方向に延在する左側辺３１Ｌ及び右側辺３１Ｒ（一対の側辺）と、左側辺３１Ｌ及び右側辺３１Ｒの上端間に水平方向に延在する上辺３１Ｔと、下端間に水平方向に延在する底辺３１Ｂと、を備える。左側辺３１Ｌと右側辺３１Ｒとは、上辺３１Ｔ付近において平行な側辺であるが、上下方向の中央から底辺３１Ｂに向けて互いに接近する方向に緩く傾いたテーパ部３１１とされている。すなわち、基板部３１は、左側辺３１Ｌと右側辺３１Ｒとの間の間隔が、上端部分よりも下端部分の方が狭くなるようなテーパ形状を有している。
【００３７】
基板部３１は、開口板３２及び底袋部３３の保持ベースとなるだけでなく、保安帽収納袋２がシート５へ装着された状態において、背部とほぼ密着した状態となり、保安帽１Ａ、１Ｂが開口部３Ｈを通して出し入れされる際に当該保安帽１Ａ、１Ｂをガイドする機能を果たす。基板部３１は、上記の機能を果たし得る平板であれば、各種の材料で作成された平板を用いることができる。上記の機能の良好に発揮させるためには、背部に対するフィット性を確保できる可撓性、前記ガイド時における保安帽１Ａ、１Ｂの衝突や摺接に対する耐性、すなわち所定の引っ張り強度や破断強度等を有することが望ましい。また、基板部３１は、シート５への装着及び取り外し時の取り扱いを容易とするため軽量であることが望ましく、さらには保安帽１Ａ、１Ｂが雨水に濡れることも多々あることから耐水性に優れることが望ましい。以上の観点から、好ましい基板部３１として、樹脂或いは発泡樹脂プレートを例示することができる。
【００３８】
開口板３２は、基板部３１の上端付近において、左側辺３１Ｌ及び右側辺３１Ｒから当該基板部３１に対して前方に膨出するように延び出す略Ｕ字型の形状を有する板状部材である。すなわち、Ｕ字型に湾曲された平板である開口板３２の左端縁３２Ｌが左側辺３１Ｌの上端付近に、右端縁３２Ｒが右側辺３１Ｒの上端付近に各々繋がっている。これにより開口板３２は、図６に示すように、基板部３１の上端部分とトンネル型の開口部３Ｈを形成している。開口板３２の最も膨出した部分であるＵ字頂部３２Ｔが、基板部３１に対して最も離間した部分となっている。
【００３９】
開口板３２は、開口部３Ｈを通した保安帽１Ａ、１Ｂの出し入れを常時可能とするために、開口部３Ｈの開口形状を維持（保形）する役目を果たす。開口部３Ｈに保形性が無い場合、例えば芯材の無い布地だけで開口端が形成されている場合、使用者は保安帽１Ａ、１Ｂの出し入れの度に袋部３の開口を確保する必要がある。しかし、開口板３２によって袋部３の開口形状を常時維持することができるので、使用者はストレスなく保安帽１Ａ、１Ｂの出し入れを行うことができる。とりわけ、保安帽１Ａ、１Ｂの帽子本体部分１１、１４が半球状の形状を有していることに鑑み、開口部３Ｈも当該形状にマッチするようトンネル型の形状を有しているので、保安帽１Ａ、１Ｂの出し入れを一層スムースに行わせることができる。
【００４０】
開口板３２は、上述の保形性を担保できる平板部材であれば、特に材料等に制限はない。但し、基板部３１と同様に、保安帽１Ａ、１Ｂの衝突等への耐性を有すると共に軽量の部材であることが望ましく、例えばＵ字型に湾曲成形された樹脂或いは発泡樹脂プレートを用いることができる。また、袋部３に収納された保安帽１Ａの頂面１１Ｔを挟み込むように保持して軽押圧できるよう、開口板３２は、Ｕ字の開口を閉じる方向にバネ性を有することが望ましい。
【００４１】
図３に示すように、開口板３２は、基板部３１に対して前方向に先下がりに傾斜した状態で、基板部３１から膨出している。ここでは、基板部３１と直交する線分に対する傾き角θが３０°程度である例を示している。これにより、開口部３Ｈの指向方向も上下方向に対して傾いている。また、Ｕ字頂部３２Ｔは、開口板３２の上縁部において、最も下方に位置している。
【００４２】
この傾き角θが存在しない場合、つまり開口板３２が基板部３１に対して水平に膨出している場合、開口部３Ｈは真上を指向することになる。この場合、使用者は、真上方向において保安帽１Ａ、１Ｂの出し入れを行うこととなり、当該出し入れ操作に窮屈感を覚えることが多くなる。これに対し、本実施形態のように開口板３２を先下がりに傾斜させることで、斜め方向から保安帽１Ａ、１Ｂの出し入れを行なわせることができる。従って、使用者は、開口部３Ｈを通した保安帽１Ａ、１Ｂの出し入れを一層容易に実行することができる。傾き角θは、１５°〜４０°程度の範囲から選択することが望ましい。
【００４３】
底袋部３３は、袋部３に収納された保安帽１Ａ、１Ｂの下方部分を支持する役目を果たす。底袋部３３は、基板部３１の左側辺３１Ｌ及び右側辺３１Ｒの中央から下端部分（少なくとも下方部分）において、左側辺３１Ｌ及び右側辺３１Ｒから基板部３１に対して前方に膨出している。より詳しくは、底袋部３３は、左側辺３１Ｌ及び右側辺３１Ｒのテーパ部３１１が形成されている部分に両側端縁が繋がり、前方に向けて延び出している。一対のテーパ部３１１間が下方に向けて幅狭になることに伴い、底袋部３３の左右幅も下方に向かうに連れて幅狭となっている。
【００４４】
また、底袋部３３は、開口板３２の下部にも繋がり、トンネル型の開口部３Ｈの下方を実質的に塞いでいる。「実質的に塞ぐ」とは、保安帽１Ａ、１Ｂの下方部分を安定的に支持できる限りにおいて小孔等が存在していても良いことを意味する。本実施形態では、後述の小開口３４が底袋部３３の下端に開口されている例を示している。
【００４５】
底袋部３３は、保安帽１Ａ、１Ｂを支持することができる強度を備えていれば、特にその材料材等に制限はない。好ましい材料は、保安帽１Ａの防災面１２を傷付ける恐れがなく、保安帽１Ａ、１Ｂとの接触或いは車両内に積載される工具と接触による摩擦や磨耗に強い材料である。例えば、底袋部３３を柔軟性に乏しい部材や、表面の平滑性が乏しい部材で形成した場合、防災面１２に擦り傷や引っ掻き傷などを発生させてしまう場合がある。また、摩擦や磨耗で底袋部３３に破れなどが生じると、保安帽１Ａ、１Ｂを落下させてしまうことがある。例えば、所定の強度を有する合成繊維の織布（布地）は、上述の不具合が生じ難く、底袋部３３として好ましい材料である。この場合、耐熱性、耐水性に優れ、色落ち等が生じない布地を用いることがより好ましい。
【００４６】
さらに、底袋部３３が吸水性を備える素材から形成されていることが望ましい。上述の通り、保安帽１Ａ、１Ｂは水濡れする場合があり、そのまま車両内に持ち込まれることがある。吸水性を備えた底袋部３３とすることで、保安帽１Ａ、１Ｂが水濡れしている状態で袋部３内に収納された場合でも、当該底袋部３３によって水分を吸収させることができる。従って、車両内に水滴が滴下しないようにすることができる。
【００４７】
底袋部３３の下端には、小開口３４（図２、図５参照）が備えられている。小開口３４は、底袋部３３の下端縁を基板部３１に繋がないようにすることによって形成されたスリット状の開口であって、保安帽１Ａ、１Ｂを通過させることのない開口である。保安帽収納袋２は、上方に向けて開口する大きな開口部３Ｈを有するので、袋部３内にはゴミや異物が進入し易い。或いは、保安帽１Ａ、１Ｂに付着した異物類が袋部３内において剥がれて、残存することも生じ得る。この場合、異物類との接触によって防災面１２が損傷を受ける場合がある。しかし、本実施形態によれば、小開口３４を通して袋部３内からゴミや異物を逃がすことができるので、袋部３内を清浄に保つことができ、また防災面１２の損傷を未然に防止することができる。
【００４８】
本実施形態では、基板部３１及び開口板３２が、カバーの布地で覆われている。すなわち、基板部３１及び開口板３２を構成するプレートが芯材とし、その上が布地で覆われている。この布地は、底袋部３３を構成している布地と同じ布地である。開口板３２を覆っている布地と、底袋部３３とは一体に繋がっている。開口板３２の上縁部３Ａは、より摩擦や磨耗に対する耐性が高い縁部用の織布の縫製によって補強されている。なお、上縁部３Ａ内に補強用のワイヤー類を内蔵させるようにしても良い。基板部３１の左側辺３１Ｌ、右側辺３１Ｒ、上辺３１Ｔ及び底辺３１Ｂも、前記縁部用の織布の縫製によって補強されている。開口板３２及び底袋部３３の布地の左右の側端縁は、それぞれ左側辺３１Ｌ、右側辺３１Ｒの前記縁部用の織布によって基板部３１と一体化するよう縫製されている。基板部３１及び開口板３２は、必ずしも布地で覆われた構成としなくても良いが、プレートのエッジがシート５を損傷したり、使用者にケガを負わせたり、さらには保安帽１Ａ、１Ｂにキズを与えたりしないようにするためには、布地で覆うことが望ましい。
【００４９】
結着具４は、袋部３をシート５の背部にワンタッチで結着させるためのバックル付きのベルトであって、図２に示すように、基板部３１の上方側に位置する上ベルト４１と、下方側に位置する下ベルト４２とを備えている。上ベルト４１は、基板部３１の左側辺３１Ｌの上端付近から左方に延び出す上側左ベルト４１Ｌと、右側辺３１Ｒの上端付近から右方に延び出す上側右ベルト４１Ｒとからなる。下ベルト４２は、左側辺３１Ｌの下端付近から左方に延び出す下側左ベルト４２Ｌと、右側辺３１Ｒの下端付近から右方に延び出す下側右ベルト４２Ｒとからなる。
【００５０】
上側、下側左ベルト４１Ｌ、４２Ｌの延出端には各々雄バックル４３が、上側、下側右ベルト４１Ｒ、４２Ｒの延出端には各々雌バックル４４が備えられている。これら雄バックル４３と雌バックル４４とが結合されることで、図４〜図６に示すように、上ベルト４１及び下ベルト４２はループ状となり、シート５の背部に袋部３を締結する締結部を形成することが可能となる。なお、前記背部に対する締結力は、上側、下側左ベルト４１Ｌ、４２Ｌのベルト長の調整によって加減することができる。
【００５１】
図７（Ａ）、（Ｂ）は、保安帽収納袋２に保安帽１Ａが収納される様子を示す図である。保安帽収納袋２は、開口部３Ｈが上方を向くように、シート５の背部に結着具４によって装着されている。開口部３Ｈは、開口板３２の先下がり傾斜によって斜め上方向に向けて開口し、且つ、Ｕ字型を有する開口板３２の保形性によってトンネル型の形状を呈している。
【００５２】
図７（Ａ）に示すように、保安帽収納袋２への収納時において保安帽１Ａは、防災面１２が頂面１１Ｔ側に回り込んだ状態とされる（防災面内蔵型の保安帽１Ｂの場合は、防災面１５が帽子本体部分１４内に収容された状態とされる。）。そして、帽子本体部分１１の底面１１Ｂが基板部３１と対向し、頂面１１ＴがＵ字頂部３２Ｔを向き、帽子本体部分１１の鍔部が下方を向く姿勢で、開口部３Ｈを通して袋部３内に挿入される。上述の保安帽１Ａの姿勢は、使用者が図略の顎紐を摘んで保安帽１Ａを持ち上げれば、自ずとそのようになる姿勢でもある。
【００５３】
袋部３への挿入の際、帽子本体部分１１の底面１１Ｂが基板部３１と摺接する。既述の通り、基板部３１は、所定の強度を有する平板である。このため、底面１１Ｂが基板部３１によってガイドされ、保安帽１Ａは重力作用も相俟って袋部３内に滑り込むように収まる。この際、保安帽１Ａの頂面１１Ｔ側もまた、トンネル型の開口部３Ｈが作るＵ字頂部３２Ｔ付近の湾曲形状によって、つかえることなくスムースに袋部３内に進入できる。従って使用者は、殆ど保安帽１Ａを袋部３に投入するような動作にて、ストレスなく保安帽１Ａを袋部３内に収納させることができる。
【００５４】
図７（Ｂ）は、保安帽１Ａが保安帽収納袋２へ収納された状態を示している。収納状態においては、帽子本体部分１１の鍔部が底袋部３３で支持され、後頭部が開口部３Ｈにおいて表出している。また、底面１１Ｂは基板部３１と当接し、頂面１１Ｔ側に位置する防災面１２は、底袋部３３及び開口板３２と当接する。
【００５５】
図８は、保安帽収納袋２への保安帽１Ａの収納状態を示す上面図である。帽子本体部分１１の底面１１Ｂが基板部３１に接面していることに加え、図６との比較において明らかな通り、防災面１２の形状に沿うように開口板３２のＵ字形状が拡張変形している。この開口板３２の変形は、当該開口板３２が防災面１２を軽押圧していることを示す。つまり、開口板３２の弾性変形に伴うバネ力によって、防災面１２が軽くグリップされている状態となる。なお、防災面内蔵型の保安帽１Ｂの場合は、帽子本体部分１４の外周面が開口板３２によって軽押圧されることになる。
【００５６】
上記の底面１１Ｂの基板部３１への接面、前記鍔部の底袋部３３での支持、及び防災面１２の開口板３２による軽押圧によって、保安帽１Ａは袋部３内において固定された状態となる。つまり、保安帽１Ａは袋部３内で遊動せず、安定的に保持された状態となる。また、防災面１２を含めて保安帽１Ａの周囲が袋部３で囲われた状態となるので、保安帽１Ａ（とりわけ防災面１２）を外傷から保護することができる。さらに、帽子本体部分１１の後頭部が開口部３Ｈにおいて表出する状態で袋部３に収納されているので、保安帽１Ａの取り出し時に使用者は、帽子本体部分１１の後端付近を摘むことで、直ちに保安帽１Ａを袋部３から取り出すことができる。
【００５７】
図９及び図１０は、自動車のシート５に保安帽収納袋２が取り付けられている様子を示す斜視図である。シート５は、背部５１、座部５２及びヘッドレスト５３を含む。図９は、背部５１の前面側、つまり背部５１において座部５２と座席面を形成する面に保安帽収納袋２が取り付けられ、保安帽１Ａが収納されている様子を示している。上ベルト４１は、背部５１の上端部とヘッドレスト５３との境界付近に締結され、下ベルト４２は、背部５１の下端部付近に締結されている。これにより、基板部３１が背部５１の前面側に沿い、袋部３が座部５２の上方に浮くように、保安帽収納袋２がシート５に取り付けられている。また、基板部３１は、背部５１のリクライニングに沿って後ろ側傾いた状態となっているが、先下がりの開口板３２で区画されている開口部３Ｈは、やや前下がりの状態となっている。従って、開口部３Ｈへのアクセス性は良好である。
【００５８】
図１０は、背部５１の背面側に保安帽収納袋２が取り付けられ、袋部３に対して保安帽１Ａが出し入れされている様子を示している。基板部３１が背部５１の背面に沿った状態で、上ベルト４１が背部５１の上端部付近、下ベルト４２が背部５１の下端部付近に締結されている。開口部３Ｈは、ヘッドレスト５３の後面下方において、後ろ下がりの状態で開口している。使用者は、このような開口部３Ｈを通して、ストレスなく袋部３に対して保安帽１Ａの出し入れを行うことができる。このように、結着具４は、シート５の背部５１を用いて、背部５１の前面側又は背面側のいずれにも袋部３を取り付けることができる。
【００５９】
以上説明した本実施形態に係る保安帽収納袋２によれば、袋部３の基板部３１が車両のシートの背部にフィットする態様で、保安帽収納袋２が結着具４によってシートに取り付けられる。このような保安帽収納袋２に保安帽１Ａ、１Ｂを収納させるようにすることで、車両での移動中における保安帽１Ａ、１Ｂの独立した積載箇所が確保され、且つ、車両内の他の部材と保安帽１Ａ、１Ｂとの衝突が生じないようにすることができる。従って、保安帽１Ａ、１Ｂの破損、とりわけ防災面１２の損傷を防止することができる。
【００６０】
そして、保安帽収納袋２がシートに取り付けられた状態において、開口板３２にて付与される保形性によって、上方に開口する開口部３Ｈは、その開口形状が維持される。このため、使用者は、保安帽収納袋２の開口部分の開閉操作を行うことなく、保安帽１Ａ、１Ｂを袋部３に対して出し入れすることができる。また、前記出し入れの際には平板状の基板部３１がガイドの役目を果たす。従って、使用者はストレスなく確実且つスムースに保安帽１Ａ、１Ｂの出し入れを行うことができる。さらに、袋部３に収納された保安帽１Ａ、１Ｂは底袋部３３によって支持されるので、保安帽１Ａ、１Ｂを安定的に保管した状態を形成することができ、防災面１２や透明鍔部１６の破損を防止することができる。
【００６１】
また、本実施形態の保安帽収納袋２によれば、帽子本体部分１１の湾曲した頂面１１Ｔを開口板３２のＵ字型の谷形状に沿わせると共に、帽子本体部分１１、１４の底面１１Ｂを基板部３１に沿わせる態様で、保安帽１Ａ、１Ｂの袋部３への出し入れを行わせることができる。また、保安帽１Ａ、１Ｂが袋部３に収容された状態では、当該保安帽１Ａ、１Ｂの下方部分（鍔部）を底袋部３３で支持し、上方部分を開口板３２で支持するという保管態様を実現することができる。従って、一層保安帽１Ａ、１Ｂの出し入れをスムースとし、また保安帽１Ａ、１Ｂの保管状態の安定性を向上させることができる。
【００６２】
さらに、基板部３１は、左側辺３１Ｌと右側辺３１Ｒとの間の間隔が上端部分よりも下端部分の方が狭くするテーパ部３１１を有している。このため、鍔部を下方にして保安帽１Ａ、１Ｂが袋部３へ収納されること想定した場合に、基板部３１並びに底袋部３３が、半球状の保安帽１Ａ、１Ｂの形状に沿う形状となる。従って、袋部３へ収納された保安帽１Ａ、１Ｂが遊動し難くなり、また当該保安帽１Ａ、１Ｂの取り出しも一層スムースにすることができる。
【符号の説明】
【００６３】
１Ａ  保安帽
１Ｂ  防災面内蔵型保安帽
１１、１４  帽子本体部分
１１Ｂ  底面
１１Ｔ  頂面
１２、１５  防災面
１６  透明鍔部
２  保安帽収納袋
３  袋部
３Ｈ  開口部
３１  基板部
３１Ｌ、３１Ｒ  左側辺、右側辺（一対の側辺）
３１１  テーパ部
３２  開口板
３３  底袋部
３４  小開口
４  結着具
４１  上ベルト
４２  下ベルト
５  シート
５１  背部
【図１】
2019065428.tif 000003
【図２】
2019065428.tif 000004
【図３】
2019065428.tif 000005
【図４】
2019065428.tif 000006
【図５】
2019065428.tif 000007
【図６】
2019065428.tif 000008
【図７】
2019065428.tif 000009
【図８】
2019065428.tif 000010
【図９】
2019065428.tif 000011
【図１０】
2019065428.tif 000012